(57)【要約】【課題】  無駄な電力消費の節約を図ることを目的とする。【解決手段】  ワイヤレスマウス４とこのワイヤレスマウス４からの情報を受信し、コンピュータ１１に接続された受信ユニット５とより成るワイヤレスマウス装置において、この受信ユニット５をこのワイヤレスマウス４を載置できる構成とし、このワイヤレスマウス４を不使用時間に応じて段階的に消費電力を低減するようにすると共にこのワイヤレスマウス４をこの受信ユニット５に載置したときに電源をオフするようにしたものである。【選択図】  図１
2005107703.tif 000002
【特許請求の範囲】
【請求項１】
ワイヤレスマウスと該ワイヤレスマウスからの情報を受信し、コンピュータに接続された受信ユニットとより成るワイヤレスマウス装置において、
前記受信ユニットを前記ワイヤレスマウスを載置できる構成とし、
前記ワイヤレスマウスを不使用時間に応じて段階的に消費電力を低減するようにすると共に前記ワイヤレスマウスを前記受信ユニットに載置したときに電源をオフするようにしたことを特徴とするワイヤレスマウス装置。
【請求項２】
請求項１記載のワイヤレスマウス装置において、
前記ワイヤレスマウスにオプティカルセンサ装置を用いたことを特徴とするワイヤレスマウス装置。
【請求項３】
請求項１又は２記載のワイヤレスマウス装置において、
前記受信ユニットに前記ワイヤレスマウスの電源スイッチをオフする突起を設けたことを特徴とするワイヤレスマウス装置。
【発明の詳細な説明】
【技術分野】
【０００１】
本発明は、ワイヤレス通信によって表示画面中のカーソルを移動させる情報を送信する機能を有するワイヤレスマウスと、コンピュータに接続してあり、このワイヤレスマウスからの情報を受信する受信ユニットとより成るワイヤレスマウス装置に関する。
【背景技術】
【０００２】
従来、ワイヤレス通信によって表示画面中のカーソルを移動させる情報を送信する機能を有するワイヤレスマウスと、コンピュータに接続してあり、このワイヤレスマウスからの情報を受信する受信ユニットとより成るワイヤレスマウス装置が提案されている（特許文献１）。
【０００３】
一般に、ワイヤレスマウスは、ワイヤの煩わしさが無いという利点があるけれども、ワイヤで接続されていないため、このワイヤレスマウス自体に電源が内蔵されていることが必要である。この内蔵電源としては、乾電池又は充電可能である二次電池が使用される。
【０００４】
また、ワイヤレスマウスにはワイヤレスマウスを動かすと底面のボールがマウスパッド上を転がって回転して信号を送り出す構成である一般的なものの他に近年オプティカルセンサ装置を使用した構成のものが実用化されつつある。
【０００５】
ボールがマウスパット上を転がるタイプのワイヤレスマウスは、ボールがマウスパット上の埃を拾い、長く使用している間に、埃がワイヤレスマウスの内部に溜まり、このボールの回転が円滑で無くなり、修理が必要となることがあった。
【０００６】
オプティカルセンサ装置を使用した構成のワイヤレスマウスでは、オプティカルセンサ装置がマウスパッドに対して非接触であるため、上述埃の問題がなく、保守が不要である利点がある。
【特許文献１】特開２００２−１５７０８５号公報
【発明の開示】
【発明が解決しようとする課題】
【０００７】
然しながら、このオプティカルセンサ装置を使用したワイヤレスマウスでは発光ダイオード等を使用しているため、消費電力が比較的大きい。
【０００８】
そこで、このワイヤレスマウスの不使用時間に応じて段階的に消費電力を低減し、使い勝手良く、無駄な電力消費の節約を図っている。
【０００９】
本発明は斯かる点に鑑み、更に無駄な電力消費の節約を図ることを目的とする。
【課題を解決するための手段】
【００１０】
本発明ワイヤレスマウス装置は、ワイヤレスマウスとこのワイヤレスマウスからの情報を受信し、コンピュータに接続された受信ユニットとより成るワイヤレスマウス装置において、この受信ユニットをこのワイヤレスマウスを載置できる構成とし、このワイヤレスマウスを不使用時間に応じて段階的に消費電力を低減するようにすると共にこのワイヤレスマウスをこの受信ユニットに載置したときに電源をオフするようにしたものである。
【発明の効果】
【００１１】
本発明によれば、ワイヤレスマウスを不使用時間に応じて段階的に消費電力を低減するようにすると共にこのワイヤレスマウスを受信ユニットに載置したときに電源をオフするようにしたので、無駄な電力消費を更に節約することができる。
【発明を実施するための最良の形態】
【００１２】
以下、図面を参照して本発明ワイヤレスマウス装置を実施するための最良の形態の例につき説明する。
【００１３】
図１は本例によるワイヤレスマウス装置の通常の使用状態を示し、この図１において、１はコンピュータ本体、２は表示装置、３はキーボード、４はワイヤレスマウス、５は受信ユニットである。受信ユニット５は図２に示す如く一端に例えばＵＳＢコネクタ６を有するコネクタケーブル７を介して、コンピュータ本体１に接続される。
【００１４】
ワイヤレスマウス４の操作を行うことによって、無線信号８が送信され、受信ユニット５がこの無線信号８を受信する。このワイヤレスマウス４を動かす操作を行うことによって、後述するオプティカルセンサ装置９が動作し、表示装置２の表示画面２ａ中のカーソル２ｂが表示画面２ａ上の任意の位置に移動され、ワイヤレスマウス４の右ボタン部４Ｒ又は左ボタン部４Ｌを押すクリック動作を行うことによって入力が行われる。
【００１５】
図３Ａ、Ｂを参照してこのワイヤレスマウス４を説明するに、図３Ａはこのワイヤレスマウス４の正面側斜視図を示し、図３Ｂは、このワイヤレスマウス４の底面を示す。このワイヤレスマウス４は図３Ａに示す如く略半球体である筺体の正面側に右ボタン部４Ｒ、ホイールボタン４Ｃ及び左ボタン部４Ｌが設けられている。
【００１６】
また、このワイヤレスマウス４の底面には中央部に電池ケース蓋１０が設けられ、この電池ケース蓋１０の内側に電池が収納されると共に、この電池ケース蓋１０の近傍正面側にオプティカルセンサ装置９に連通するオプティカルセンサ孔１１が設けられている。
【００１７】
このオプティカルセンサ装置９は、図４に示す如くプリント基板９ａ、横向きに実装してある発光ダイオード（ＬＥＤ）９ｂ、光学式センサチップ９ｃ、プリズム９ｄ、レンズ９ｅ等を有する。このＬＥＤ９ｂから出た光９ｆはプリズム９ｄで反射され底面のオプティカルセンサ孔１１を通ってマウスパッド９ｇの表面で反射され、再度オプティカルセンサ孔１１を通ってレンズ９ｅによって光学式センサチップ９ｃのＣＣＤより成る光学式センサ部９ｈに集光される。光学式センサ部９ｈは高速でスキャン動作を行う。
【００１８】
ワイヤレスマウス４をマウスパッド９ｇ上を動かすと、光学式センサ部９ｈがマウスパッド９ｇの表面の状態を読み取り、先に読み取った情報と比較し、比較の結果に基づいて、ワイヤレスマウス４の移動方向及び移動距離に応じた信号を出力する。
【００１９】
また、図３Ｂに示す如くこのワイヤレスマウス４の底面の中心部即ち、電池ケース蓋１０の中央部に、後述する電源スイッチ１２に対応したスイッチ孔１３を設け、このワイヤレスマウス４を受信ユニット５上に載置したときに図２に示す如くこの受信ユニット５の上部の中心部に設けた突起１４に係合し、このスイッチ孔１３に対応して設けた電源スイッチ１２をオフする如くする。
【００２０】
この場合、この受信ユニット５の上面に、このワイヤレスマウス４の底面を載置できる如く、この受信ユニット５の上面をこのワイヤレスマウス４の底面と同一形状例えば円形状に載置できる如く構成する。
【００２１】
即ち、図５Ａに示す如く、受信ユニット５の上面にワイヤレスマウス４の底面を載置したときには、受信ユニット５の上面の中心部の突起１４がワイヤレスマウス４の底面の中心部のスイッチ孔１３に係合し、図５Ｂに示す如く受信ユニット５の上面にワイヤレスマウス４を安定して載置することができる。この場合、突起１４が電源スイッチ１２をオフする。
【００２２】
図６は、このワイヤレスマウス４の回路構成を示すブロック図である。この図６につき説明するに、２０はワイヤレスマウス４の電池ケース蓋１０の内側に収納される電池を示し、この電池２０よりの電圧をスイッチ孔１３に対応して設けられた電源スイッチ１２を介して、所定の電源を得るための昇圧回路部２１に供給する如くする。
【００２３】
この昇圧回路部２１はオプティカルセンサ装置９、データ送信部２２及び、マイクロコンピュータより成る制御部２３に夫々所定の電源を供給する如くする。
【００２４】
本例においては、この昇圧回路部２１は制御部２３の制御により、このワイヤレスマウス４の不使用時に、図７に示す如く使用時間に応じて段階的に消費電力を落す如くする。
【００２５】
例えばこのワイヤレスマウス４の動作時より静止したときには、静止時より１０秒間、アイドリング状態とし、この間は動作時の消費電力の１／４．４とし、その後５分間第１のスリープ状態となり、この間は動作時の消費電力の１／６４とし、その後第２のスリープ状態となり、この第２のスリープ状態のときは動作時の消費電力の１／１０８とする如くする。また第３、第４・・・のスリープ状態を設けるようにしても良い。
【００２６】
このアイドリング状態、第１のスリープ状態、第２のスリープ状態・・・より、このワイヤレスマウス４を動作させたときは、動作時の消費電力が供給される如く構成されている。
【００２７】
また本例においては、このワイヤレスマウス４を受信ユニット５の上面に載置したときには、この受信ユニット５の中心部に設けた突起１４がワイヤレスマウス４のスイッチ孔１３に係合してこの電源スイッチ１２をオフするので、このワイヤレスマウス４を受信ユニットの上面に載置したときにはワイヤレスマウス４の消費電力は零となる。
【００２８】
また、このワイヤレスマウス４のオプティカルセンサ装置９で得たカーソル２ｂを移動させる情報を制御部２３、データ送信部２２及びアンテナ２４を介して無線信号８として受信ユニット５に送信する如くする。
【００２９】
本例は上述の如く構成されているので、ワイヤレスマウス４を不使用時に図７に示す如く不使用時間に応じて段階的に消費電力を低減するようにしたので無駄な電力消費を節約し、使い勝手を良くすると共にこのワイヤレスマウス４を使用しないことを目的として受信ユニット５上に載置したときには、図７に示す如く、どの状態からでも電源スイッチ１２をオフとし、電力消費を零とするので無駄な電力消費を更に節約できる。
【００３０】
この場合、再びワイヤレスマウス４を使用したいときには、このワイヤレスマウス４を受信ユニット５より取りはずし、図１に示す状態とすれば良い。
【００３１】
また本例においてはワイヤレスマウス４を不使用時に受信ユニット５上に載置する如くすれば、無駄な電力消費を防止できると共にこのワイヤレスマウス４を紛失することがなく、このワイヤレスマウス４を探す手間が省ける。
【００３２】
尚、本発明は上述例に限ることなく本発明の要旨を逸脱することなく、その他種々の構成が採り得ることは勿論である。
【図面の簡単な説明】
【００３３】
【図１】本発明ワイヤレスマウス装置の実施の形態の例の使用状態を示す一部切欠斜視図である。
【図２】本発明による受信ユニットの例を示す斜視図である。
【図３】本発明によるワイヤレスマウスの例を示し、Ａに正面側斜視図、Ｂは底面図である。
【図４】オプティカルセンサ装置の例を示す断面図である。
【図５】本発明ワイヤレスマウス装置の例の説明に供する斜視図である。
【図６】ワイヤレスマウスの回路構成を示すブロック図である。
【図７】本発明の説明に供する線図である。
【符号の説明】
【００３４】
１‥‥コンピュータ本体、２‥‥表示装置、２ａ‥‥表示画面、２ｂ‥‥カーソル、３‥‥キーボード、４‥‥ワイヤレスマウス、４Ｒ‥‥右ボタン部、４Ｌ‥‥左ボタン部、４Ｃ‥‥ホイールボタン、５‥‥受信ユニット、８‥‥無線信号、９‥‥オプティカルセンサ装置、１０‥‥電池ケース蓋、１１‥‥オプティカルセンサ孔、１２‥‥電源スイッチ、１３‥‥スイッチ孔、１４‥‥突起、２０‥‥電池、２１‥‥昇圧回路部、２２‥‥データ送信部、２３‥‥制御部
【図１】
2005107703.tif 000003
【図２】
2005107703.tif 000004
【図３】
2005107703.tif 000005
【図４】
2005107703.tif 000006
【図５】
2005107703.tif 000007
【図６】
2005107703.tif 000008
【図７】
2005107703.tif 000009